(57)【要約】【課題】バルブの作動状態を周囲の様々な方向から目視により確認することができるバルブヘッドを提供する。【解決手段】バルブ本体部２に装着されるバルブヘッド１であって、上記バルブヘッド１を形成する筐体３の先端部に、バルブの作動状態を表示して全方向から視認しうる発光部5が設けられている。【選択図】  図１
2005257010.tif 000002
【特許請求の範囲】
【請求項１】
バルブ本体部に装着されるバルブヘッドであって、上記バルブヘッドを形成する筐体の先端部に、バルブの作動状態を表示して全方向から視認しうる発光部が設けられたことを特徴とするバルブヘッド。
【請求項２】
上記発光部は、上記筐体の先端部に設けられ、筐体表面部から突出形成されていることを特徴とする請求項１記載のバルブヘッド。
【請求項３】
上記筐体は、全体略筒状に形成されると共に、上記先端部は側面部に連続する球面状傾斜部を有し、上記発光部は上記球面状傾斜部の頂部に配置されていることを特徴とする請求項２記載のバルブヘッド。
【請求項４】
上記発光部は、光源としての複数のＬＥＤを有することを特徴とする請求項１、２又は３記載のバルブヘッド。
【請求項５】
上記発光部は、発光色が異なる複数種類のＬＥＤを有し、バルブの全開状態と、バルブの全閉状態と、バルブの半開状態と、バルブの異常状態とをそれぞれ異なる発光色により示し、各発光色によりバルブの作動状態を認識しうるように構成されていることを特徴とする請求項４記載のバルブヘッド。
【請求項６】
上記発光部は単一のレンズキャップを有し、このレンズキャップ内に上記ＬＥＤの光を透過散乱させる光屈折部材が収納されていることを特徴とする請求項２、３、４又は５記載のバルブヘッド。
【発明の詳細な説明】
【技術分野】
【０００１】
本発明は、バルブに装着されるバルブヘッドに係り、特に、食品、医薬品等の液体が流通する管路内に設けられ、上記液体流通を制御するバルブに装着されるバルブヘッドに関する。
【背景技術】
【０００２】
一般に、食品、医薬品等からなる液体を処理する液体処理ユニットに設けられた管路には、管路内部の液体の流通を制御するバルブが管路の各所に設けられている。
【０００３】
このような、いわゆるサニタリバルブは、例えば、管路内に設けられた液体を収納するアセプティックタンクの上部又はアセプティックタンクの下部、さらに、配管の分岐部等に設けられており、一つの液体処理ユニットに多数のサニタリバルブが各所に設けられている。
【０００４】
このような多数のサニタリバルブは、各ユニットにおいて食品等の液体の流通を適宜制御し得るように総合的に駆動制御されている。
【０００５】
ところで、このようなサニタリバルブの保守管理者はバルブの作動状態を確認する必要が生ずる場合がある。即ち、例えば、トラブルの発生時にはバルブの開閉状態等の駆動状況を外部から確認することにより液体の流通状態を確認し、必要な場合には適当な対処を行なう必要がある。
【０００６】
従って、このような観点から、従来、サニタリバルブの作動状況の確認のための表示装置がバルブヘッドに設けられていた。
【０００７】
このような従来の表示装置は、例えば、バルブ本体の開閉状態を検出するセンサーと、バルブヘッドの外側面の一側部に設けられ、このセンサーからの信号に対応して発光する複数個の同一の色彩ＬＥＤを有する複数の発光部とにより形成され、発光部位の相違によりバルブの作動状態を識別できるように構成されている。
【０００８】
しかしながら、このような従来の表示装置にあっては、当該発光部が設けられた方向のみからしか視認できないため、配管やアセプティックタンクへの取付角度によっては作業員が当該表示装置を確認できない場合があった。
また、発光部位の相違によりバルブの作動状態を認識する必要があることから、容易に認識することは困難である場合があった。
【０００９】
そこで、本出願人は、先に、周囲の全方向からバルブの作動状態を目視により容易に確認できる全方位視認装置付きバルブを提案した（特許文献１参照）。
【特許文献１】実用新案登録第３０７６４６６号公報
【００１０】
先に提案した上記のバルブは、バルブヘッドの先端部に周囲全方向から視認しうるように、バルブ部本体部と略同一の直径に形成された半透明のカバー部材を装着した単一の大型の発光部を形成し、内部に全方位に視認可能なように複数個のＬＥＤを配設したものである。
【００１１】
しかしながら、このような従来のバルブにあっては、全方位から視認可能に配設された複数個のＬＥＤ全体を覆うように設けられた大型の半透明のカバー部材を必要とし、また、周囲の全方向に対しうる多数個のＬＥＤを装着する必要があることから、製作コストが嵩むと共に、これらの多数個のＬＥＤに要する消費電力も大きく、ランニングコストも嵩む、という不具合があった。
【００１２】
なお、本出願人は、上記の不具合を解消しうる先行技術について調査したが、関連する先行技術文献を見出すことはできなかった。
【発明の開示】
【発明が解決しようとする課題】
【００１３】
そこで本発明の課題は、バルブの作動状態を周囲の全方向から目視により確認することができ、容易にバルブ作動状態を認識しうるバルブヘッドを提供することにある。
【課題を解決するための手段】
【００１４】
上記課題を解決するために、本発明にあっては、バルブ本体部に装着されるバルブヘッドであって、上記バルブヘッドを形成する筐体の先端部に、バルブの作動状態を表示して全方向から視認しうる発光部が設けられたことを特徴とする。
【００１５】
従って、本発明にあっては、バルブの保守管理者等は、バルブの作動状態を確認しうる発光部が全方向から視認できることから、従来のような、工場内における保守管理者の所在位置によりバルブヘッドの発光部が視認しにくい、という事態を防止することができる。
【００１６】
また、本発明にあっては、上記発光部は、上記筐体の先端部に設けられ、筐体表面部から突出形成されていることを特徴とする。
その結果、本発明にあっては、バルブの保守管理者は、上記筐体の先端部に設けられ、筐体表面部から突出形成された発光部によりバルブの作動状態を確認することができる。
【００１７】
また、本発明にあっては、上記筐体は、全体略筒状に形成されると共に、上記先端部は側面部に連続する球面状傾斜部を有し、上記発光部は上記球面状傾斜部の頂部に配置されていることを特徴とする。
従って、本発明にあっては、先端部には球面状傾斜部により側面部に連続し、この球面状傾斜部の頂部に発光部が設けられていることから、バルブヘッドの軸方向に直交する方向の全方位において発光部を視認でき、さらに、発光部の周囲には先端面部と側面部との間に、所定の角度を有する端部が存在しないため、バルブヘッドを形成する筐体の反先端部側からでも、一定の角度以内であれば上記発光部を視認することができる。
【００１８】
その結果、従来の発光部を有するバルブヘッドに比して、バルブヘッドの軸方向に直交する方向のみならずバルブヘッドを形成する筐体の反先端部側からも発光部を視認することができ、視認性は大幅に向上する。
また、本発明にあっては、上記発光部は、光源としての複数のＬＥＤを有することを特徴とする。
【００１９】
また、上記発光部は、発光色が異なる複数種類のＬＥＤを有し、バルブの全開状態と、バルブの全閉状態と、バルブの半開状態と、バルブの異常状態とをそれぞれ異なる発光色により示し、各発光色によりバルブの作動状態を認識しうるように構成されていることを特徴とする。
従って、本発明にあっては、発光部において視認した各々の発光色によりバルブの作動状態を認識することができる。
【００２０】
また、本発明にあっては、単一のレンズキャップ内に上記ＬＥＤの光を透過散乱させる光屈折部材が収納されていることを特徴とする。
従って、本発明にあっては、従来のように、複数の発光部を目で追う必要がなく、上記光屈折部材を介して単一のレンズキャップに反映する夫々の異なる発光色により、バルブの各作動状態を認識することができる。
【発明の効果】
【００２１】
請求項１記載の本発明のバルブヘッドにあっては、バルブの作動状態を表示する発光部がバルブヘッドの筐体における先端部に設けられているので、保守管理者は周囲のどの方向からも発光部を目視により確認して、バルブの作動状態を認識することができる。
【００２２】
また、請求項２記載の本発明のバルブヘッドにあっては、上記発光部が筐体の先端部に設けられ、筐体表面部から突出形成されているので、周囲から視認しやすくなる、という効果を奏する。
【００２３】
また、請求項３記載の本発明のバルブヘッドは、上記筐体の先端部が側面部に連続する球面状傾斜部を有し、上記発光部は上記球面状傾斜部の頂部に配置されていることから、発光部への視認性がより良好となり、
バルブヘッド軸方向における反先端部側からの発光部に対する視認性が拡大し、特に、バルブが管路等に垂直に取付けられたような場合には、斜め下方からも容易に発光部を視認することができる。
【００２４】
また、請求項４記載の本発明のバルブヘッドは、上記発光部の光源としてＬＥＤを用いているので、他の光源に比べて保守管理の点で取り扱い易く、ランニングコストも低減することができる。
【００２５】
また、請求項５記載の本発明のバルブヘッドは、光の色が互いに異なる４種類のＬＥＤを用い、発光する単一の色彩の相違により、バルブの作動状態、すなわち、バルブの全開状態と、バルブの全閉状態と、バルブの半開状態と、バルブの異常状態等を区別するものであることから、バルブの作動状態を認識しやすい。
【００２６】
また、請求項６記載の本発明のバルブヘッドは、単一のレンズキャップ内に光屈折部材を収納しているので、ＬＥＤの光が散乱され、周囲からの視認性をさらにアップすることができる。
また、複数のバルブの作動状態を、単一のレンズキャップにより構成される１箇所の発光部の色に変化に対応させて確認するように構成されているため、従来のように、複数の発光部を設けた場合とは異なり、誤認識の事態を有効に防止することができる。
【発明を実施するための最良の形態】
【００２７】
以下、添付した図面を用いて本発明の実施の形態について説明する。
【００２８】
本実施の形態に係るバルブヘッド１は、図１及び図２に示すように、食品、医薬品等からなる液体を処理する液体処理ユニットに設けられ管路に取り付けられる、いわゆるサニタリバルブ４０の構成部品として形成されている。
【００２９】
このようなサニタリバルブ４０は、例えば、各種の液体処理ユニットを構成する管路内に設けられ、液体を収納するアセプティックタンクの上部又はアセプティックタンクの下部、さらに、配管の分岐部等に設けられており、一つの液体処理ユニットに多数のサニタリバルブが各所に設けられるものである。
【００３０】
このようなバルブヘッド１は、上記サニタリバルブ４０を構成するバルブ本体部２の上部に装着され、上記バルブヘッド１を形成する筐体３の先端部に、バルブの作動状態を表示して全方向から視認しうる発光部５が設けられている。
また、上記発光部５は、図３乃至図５に示すように、上記筐体３の先端部に設けられ、筐体３表面部から突出して形成されている。
また、上記筐体３は、図１及び図２に示すように、全体略筒状に形成されると共に、上記先端部は側面部３５に連続する球面状傾斜部４を有し、上記発光部５は上記球面状傾斜部４の頂部に配置されている。
【００３１】
また、上記発光部５は、図６に示すように、光源としての複数のＬＥＤ７ａ，７ｂ，７ｃ，７ｄを有している。
また、上記発光部５は、発光色が異なる複数のＬＥＤ７ａ，７ｂ，７ｃ，７ｄを有し、発光色により、バルブの全開状態と、バルブの全閉状態と、バルブの半開状態と、バルブの異常状態をそれぞれ示す。
【００３２】
また、上記ＬＥＤ７ａ，７ｂ，７ｃ，７ｄは単一のレンズキャップ６により被覆され、このレンズキャップ６内には上記ＬＥＤ７ａ，７ｂ，７ｃ，７ｄの光を透過散乱させる光屈折部材８が収納されている。
本実施の形態に係るサニタリバルブ４０は、バルブ本体部２と、このバルブ本体部２の上部に接続固定されたバルブヘッド１とにより構成されている。
【００３３】
バルブ本体２の内部構造は詳細には図示しないが、図７に示すように、エアシリンダ９内には、ピストンを取り付けた弁棒１０が上下方向へ変位可能に収納され、その弁棒１０の下端に弁体（図示せず）が取り付けられ、上記エアシリンダ９内に送入されるエアによってピストンと弁棒が駆動されて、上記弁体が管路の開口部を形成する弁座を開閉するように構成されている。
【００３４】
上記バルブヘッド１は、ベース部材１６と、このベース部材１６に接合される筐体本体１７と、筐体本体１７上に固定される電装部品カバー部材１８とを備えている。
上記ベース部材１６は、上記バルブ本体２の上端部にネジ２０，２０により接続固定されている。このベース部材１６は中央部に孔部２１を有しており、その孔部２１内には上記弁棒１０が貫通して配置されている。図７に示すように、上記弁棒１０の上端部にはバルブ作動検出用のボルト２２が接続されている。
【００３５】
図１に示すように、上記筐体本体１７はその周縁部において、上記ベース部材１６にネジ２３で上方から固定されている。
【００３６】
図６に示すように、この筐体本体１７には、電磁弁収納スペース２４と電装部品収納スペース２５が形成され、上記電磁弁収納スペース２４と上記電装部品収納スペース２５とは、電装部品収納スペース２５内の電装部品が、電磁弁その他の構成部品の劣化等の原因により発生する圧搾エアの漏出により影響を受けることがないように、横断面逆Ｌ字状に形成された仕切壁２６により隔離されている。
【００３７】
上記電磁弁収納スペース２４は、上記筐体本体１７の背面側の側面部に形成されている。すなわち、上記筐体本体１７の背面側の側面部には、上記電磁弁収納スペース２４として背面方向に開口する凹部が形成されている。
【００３８】
上記電装部品収納スペース２４には上記の各種電装部品が収納されている。これら電装部品には、図５に示すように、外部電源からケーブル２７によって駆動電力が供給される。
【００３９】
上記電装部品には、図３及び図４に示すように、上記バルブ本体２の弁棒１０の変位量からバルブの作動状態、すなわち、バルブの全開状態、バルブの全閉状態、バルブの半開状態をそれぞれ検知しうる３つのセンサ１３ａ，１３ｂ，１３ｃと、バルブの異常状態を検知しうるセンサ１４と、バルブの上記各作動状態及び異常状態を表示する発光部５と、上記電磁弁１１、上記各種センサ１３ａ，１３ｂ，１３ｃ，１４、上記発光部５等と接続されて、上記電磁弁１１の作動や、上記発光部５の点灯等を制御するための電子回路が形成された基板等を具えた制御装置１５が含まれている。
【００４０】
また、図６及び図７に示すように、上記仕切壁２７の側面部中央には膨出部３６が形成され、内部には、筐体本体３の底部中央に開口する縦穴状のバルブ作動被検出部材収納スペース２８が形成されている。
【００４１】
図３及び図７に示すように、上記電装部品のうち、上記３つのセンサ１３ａ，１３ｂ，１３ｃは、上記膨出部３６の異なる高さ位置に配置されている。また、上記発光装置３４は上記仕切壁２６の上段部に配置されている。
【００４２】
上記のバルブ作動被検出部材収納スペース２８には上記バルブ本体２の弁棒１０と接合されたボルト２２が上下方向へ移動可能に挿入配置されている。このボルト２２にはセンサ検知用磁石２９が取り付けられている。
【００４３】
上記ボルト２２は上記のようにバルブ本体２の弁棒１０と下端部において接合されているので、弁棒１０の動きに従って上下動する。そして、そのボルト２２が上下動すると、そのボルト２２に取り付けられた上記センサ検知用磁石２９の位置も変化する。
このセンサ検知用磁石２９が上記、高さ位置の異なる３つのセンサ１３ａ，１３ｂ，１３ｃに接近した場合には、それらセンサ１３ａ，１３ｂ，１３ｃは上記センサ検知用磁石２９の磁気を検知する。これにより、上記３つのセンサ１３ａ，１３ｂ，１３ｃは弁棒１０の位置から、バルブの作動状態、すなわち、バルブの全開状態、バルブの全閉状態、及びバルブの半開状態を検知するように構成されている。
【００４４】
上記３つのセンサ１３ａ，１３ｂ，１３ｃは検知信号を上記制御装置１５に送り、上記制御装置１５は検知信号に基づいて発光装置３４を作動させる。
即ち、色彩の異なる３種類のＬＥＤ７ａ，７ｂ，７ｃを、バルブの上記３種類の作動状態に対応して発光させる。また、ＬＥＤ７ｄは、上記センサ１４が、ベローズ漏れ等のバルブの異常状態を検知した際に発光する。従って、バルブの保守管理者は、レンズキャップ６を透過して発光する、ＬＥＤ７ａ，７ｂ，７ｃの発光色の色によりバルブの作動状態を確認することができる。
【００４５】
上記電装部品収納スペース２５は電装部品カバー部材１８によって覆われ、その電装部品カバー部材１８はビス３０により上記筐体本体１７に固定されている。なお、上記電装部品カバー部材１８と上記筐体本体１７の接続部にはシール部材としてＯリング３１が介装されて、電装部品収納スペース２５の気密性が確保されている。
【００４６】
上記発光部５は、上記電装部品カバー部材１８の頂部に固定されている。上記発光部５はレンズキャップ６を有し、このレンズキャップ６は透明な樹脂素材によりドーム状に形成され、内部に収納された光源としての4基のＬＥＤ７ａ，７ｂ，７ｃ，７ｄと、光屈折部材８とを被覆している。  
なお、本実施の形態に係るレンズキャップ６は、図５に示すように、略半球状に形成されているが、その形状は半球状に限定されない。
【００４７】
また、使用するＬＥＤの個数や色彩に関しても本実施の形態に限定されない。即ち、センサとＬＥＤの数を増やすことにより、バルブの作動状態を、よりきめ細かく表示することも可能である。
【００４８】
上記４種類のＬＥＤ７ａ，７ｂ，７ｃ，７ｄはバルブの作動状態を表示するものであって、上述のように、上記の４種類のセンサ１３ａ，１３ｂ，１３ｃ，１４と対応している。
【００４９】
即ち、ＬＥＤ７ａはセンサ１３ａがバルブの全開状態を検知したときに緑色に発光し、ＬＥＤ７ｂはバルブの全閉状態を検知したときに青色に発光し、センサ１３ｃはバルブの中間位置状態を検知したときに黄色に発光し、ＬＥＤ７ｄはセンサ１４がベローズ漏れ等の異常状態を検知したときに赤色に発光するように構成されている。
なお、本実施の形態に係る上記センサ１３ａ，１３ｂ，１３ｃには近接スイッチが用いられているが、使用するセンサの種類は自由であり、上記近接スイッチに限定されるものではなく、他の構成部品を使用することも勿論可能である。
【００５０】
上記電装部品カバー部材１８の上記レンズキャップ６の周囲の表面はレンズキャップ６から離間するに従って側面部３５に連なるように傾斜している。
その結果、上記球面状傾斜部４は、周囲から発光部５を視認する場合に、バルブ本体２及びバルブヘッド１が垂直な状態で管路、タンク等に固定された場合には、鉛直方向で略２４０度の視界を確保できる角度に形成されている。
これにより、サニタリバルブ４０が管路等に固定された場合に、取付位置により、サニタリバルブ４０の上記発光部５が保守管理者の目の位置より上方に位置していても、保守管理者が若干、上方を見上げれば発光部５を目視することができる。
また、同様な状態で発光部５は水平方向において３６０度の全方向から視認することができることから、周囲のどの方向からでも上記発光部５を目視することができる。
【００５１】
また、上記レンズキャップ６の内部には、光源としての上記ＬＥＤ７ａ，７ｂ，７ｃ，７ｄを覆うように透明な光屈折部材８が収納されている。この光屈折部材８としては、レンズ、プリズム等が使用され、これらの部品を組み合わせることも可能であるが、ガラスや透明プラスチック等の透明素材を任意の形状に加工して形成することも可能である。
【００５２】
本実施の形態に係る光屈折部材８は、図６に示すように、頭頂部に複数の三角形の突起を有する形状に形成されている。なお、上記ＬＥＤ７ａ，７ｂ，７ｃと上記光屈折部材８とは一体化された発光装置３４として上記制御装置１５上に配置されている。
【００５３】
上記光源としてのＬＥＤ７ａ，７ｂ，７ｃ，７ｄの光は上記光屈折部材８を透過する際に屈折し散乱するため、レンズキャップ６内に大きく拡がり、その結果、視認性が良くなり、離間した場所からでも目視されることが可能である。
【００５４】
一方、図５及び図６に示すように、上記筐体本体３の背面部に形成された、上記電磁弁収納スペース２４には上記電磁弁１１が収納されており、上記電磁弁１１は電磁弁カバー部材１９に取り付けられて、電磁弁カバー部材１９と共に電磁弁収納スペース２４に挿入されている。
【００５５】
上記電磁弁１１は、図５及び図６に示すように、上記バルブ本体２のエアシリンダ９と外部の供給源からの圧搾エアを供給する配管１２ａ，１２ｂを介してエアシリンダ9と接続され、上記エアシリンダ９へエアを供給し、また、そのエアの供給方向を切り替える。
【００５６】
以下、本実施の形態に係るバルブヘッドの作用について説明する。
本実施の形態に係るバルブヘッド１にあっては、バルブが作動して、バルブが全開状態、全閉状態、半開状態又は異常状態になると、それらの状態を上記センサ１３ａ，１３ｂ，１３ｃ，１４が検知し、検知信号を制御装置１５へ送る。
【００５７】
その検知信号を受信した制御装置１５が発光装置３４のＬＥＤ７ａ，７ｂ，７ｃ，７ｄのうち対応するものを発光させる。各ＬＥＤ７ａ，７ｂ，７ｃ，７ｄの発光色は異なるので、その色の違いにより、保守管理者はバルブの作動状態を確認することができる。
【００５８】
また、上記発光部５を構成するレンズキャップ６は上方へ突出していることから、例えば、サニタリバルブ４０が管路等に垂直に取付けられた場合において、水平方向では３６０度、いずれの方向からも目視することができる。
【００５９】
また、筐体３の先端部に設けたレンズキャップ６の周囲には、レンズキャップ６から離間するに従って側面部３５に向って連なるように傾斜して形成された球面状傾斜部４が形成されていることから、サニタリバルブ４０が管路等に垂直に取付けられた場合においては、鉛直方向においては略２４０度の視界を確保できる。
従って、発光部５が保守管理者の目の位置より上方に位置していても、保守管理者が少し上方を見上げることにより発光部５を目視し、ＬＥＤ７ａ，７ｂ，７ｃ，７ｄの発光色の違いを確認することができる。
【００６０】
また、本実施の形態に係るバルブヘッド1にあっては、ＬＥＤ７ａ，７ｂ，７ｃ，７ｄの光は光屈折部材８を透過するときに散乱して周囲に拡散するため、レンズキャップ６からの発光の明度が多きくなり、周囲からの視認性が良好なものとなる。
さらに、本実施の形態に係るバルブヘッド１にあっては、従来のように、複数個の発光部による発光を目で追う必要はなく、レンズキャップ６内で発光する色彩の違いのみによりバルブの作動状態を確認することができる。
【００６１】
また、発光部５は筐体３の先端部のみにコンパクトに設けられているので、消費電力も小さく、ランニングコストを低減することができる。
なお、本実施の形態にあっては、本発明に係るバルブヘッドを液体が流通する管路又は液体を収納するタンクに取り付けられる、いわゆるサニタリバルブに適用した場合を例に説明したが、上記実施の形態に限定されず、広く、バルブ本体に装着されバルブ本体のアクチュエータとして機能するバルブヘッドであれば適用することができる。
【図面の簡単な説明】
【００６２】
【図１】本発明に係るバルブヘッドの一実施の形態に係るバルブ本体に装着されたバルブヘッドの正面側の斜視図である。
【図２】本発明に係るバルブヘッドの一実施の形態に係るバルブ本体に装着されたバルブヘッドの背面側の斜視図である。
【図３】本発明に係るバルブヘッドの一実施の形態に係るバルブ本体に装着されたバルブヘッドの電装部品カバー部材を取り外した状態の斜視図である。
【図４】本発明に係るバルブヘッドの一実施の形態に係るバルブ本体に装着されたバルブヘッドの電装部品カバー部材を取り外した状態の正面図である。
【図５】本発明に係るバルブヘッドの一実施の形態に係るバルブ本体に装着されたバルブヘッドの背面図である。
【図６】本発明に係るバルブヘッドの一実施の形態に係るバルブ本体に装着されたバルブヘッドの断面図である。
【図７】本発明に係るバルブヘッドの一実施の形態に係るバルブ本体とバルブヘッドの分解斜視図である。
【符号の説明】
【００６３】
１    バルブヘッド
２    バルブ本体
３    筐体
４    球面状傾斜部
５    発光部
６    レンズキャップ
７ａ  ＬＥＤ
７ｂ  ＬＥＤ
７ｃ  ＬＥＤ
７ｄ  ＬＥＤ
８    光屈折部材
９    エアシリンダ
１０  弁棒
１１  電磁弁
１２ａ，１２ｂ  配管
１３ａ，１３ｂ，１３ｃ  センサ
１４  センサ
１５  制御装置
１６  ベース部材
１７  筐体本体
１８  電装部品カバー部材
１９  電磁弁カバー部材
２０  ネジ
２１  孔部
２２  ボルト
２３  ネジ
２４  電磁弁収納スペース
２５  電装部品収納スペース
２６  仕切壁
２７  ケーブル
２８  バルブ作動検出部材収納スペース
２９  検知磁石
３０  ビス
３１  Ｏリング
３４  発光装置
３５  側面部
３６  膨出部
４０  サニタリバルブ
【図１】
2005257010.tif 000003
【図２】
2005257010.tif 000004
【図３】
2005257010.tif 000005
【図４】
2005257010.tif 000006
【図５】
2005257010.tif 000007
【図６】
2005257010.tif 000008
【図７】
2005257010.tif 000009